(57)【要約】      （修正有）【課題】フロアの設置面への水漏れを確実に防止することができ、かつ設置が容易になる止水構造を提供すること。【解決手段】浴室ユニット１０のフロア２１の周縁部に沿って形成された支持部２２と、支持部２２の上面に設置される壁パネル１２ａとの間に止水部材２３を取り付けて止水構造２０を形成した。止水部材２３は、支持部２２と壁パネル１２ａの下端部との間に設置されるシール部２５と、支持部２２における室外側部分に設置され、支持部２２と壁パネル１２ａの下端部との間から漏れる水を受けるための樋状の水受け部２６とで構成した。また、支持部２２に上方に延びる垂直縁部２２ｃを設けるとともに、壁パネル１２ａの下面に垂直縁部２２ｃと係合可能な被係合溝部２４を設け、シール部２５をシール本体２７と、弾性片２８とで構成した。【選択図】図２
2006152568.tif 000002
【特許請求の範囲】
【請求項１】
床面を構成するフロアの縁部に沿って形成された支持部と、前記支持部の上面に設置される壁パネルとの間に設けられる止水構造であって、
前記支持部における室外側部分に、前記支持部と前記壁パネルの下端部との間から漏れてくる水を受けるための樋状の水受け部を前記支持部と前記壁パネルの下端部との接合部に沿って設けたことを特徴とする止水構造。
【請求項２】
前記支持部と前記壁パネルの下端部との間にシール部を設置して、前記シール部で前記支持部と前記壁パネルの下端部との間をシールするようにした請求項１に記載の止水構造。
【請求項３】
前記水受け部と前記シール部の少なくとも一部とを一体的に形成した請求項２に記載の止水構造。
【請求項４】
前記支持部に上方に延びる突条を設けるとともに、前記壁パネルの下面に前記突条と係合可能な溝部を設け、前記シール部を前記突条と前記溝部との間に沿って配置される本体部と、前記突条の表面または前記溝部の内面の少なくともいずれか一方に圧接する弾性ヒレ部を備えた弾性片とで構成した請求項２または３に記載の止水構造。
【請求項５】
前記水受け部を前記支持部の下方に位置するように設けた請求項１ないし４のうちのいずれか一つに記載の止水構造。
【請求項６】
前記水受け部で受けた水を排水装置から排出する請求項１ないし５のうちのいずれか一つに記載の止水構造。
【発明の詳細な説明】
【技術分野】
【０００１】
本発明は、床面を構成するフロアと、フロアの縁部側に設置される壁パネルとの間に設けられる止水構造に関する。
【背景技術】
【０００２】
従来から、例えば、ユニット式の浴室は、浴槽フロアと洗い場フロアとからなるフロアの周縁部に壁パネルを起立状態で設置するとともに、各壁パネルの上端部に天井パネルを取り付けて構成されている。そして、各パネルとフロアとの間やパネルどうしの間、特に、フロアと壁パネルとの間には、止水構造が設けられて、浴室内の湯水が室外に漏れないようにしている（例えば、特許文献１参照）。
【０００３】
この止水構造では、フロアの縁部が、フロアから立ち上がった立上部と、立上部の上端縁部から水平に延びるフランジ状の壁パネル載置片と、壁パネル載置片の縁部から立ち上がった水返し片とで構成されている。そして、壁パネル載置片の上に壁パネルを設置するとともに、水返し片に下方が開口したパネル枠を被せ、壁パネルとパネル枠とを接着剤で接着している。また、壁パネル載置片と壁パネルとの間にシリコンからなるシール材を設け、水返し片とパネル枠との間に封水材を設けてそれぞれの部分を止水している。
【特許文献１】特開２００３−６４８９５号公報
【発明の開示】
【０００４】
しかしながら、前述した従来の止水構造では、シール材に壁パネルの重量がそのまま掛かってしまうため、その重みによってシール材が傷み易いという問題がある。また、シール材が傷んだ場合には、その部分に隙間が生じて水が溜まりやすくなり、この水が壁パネルの裏側にまわると、場合によってはフロアの設置面に漏れてしまうことがある。この結果、フロアの設置面が汚れたり異臭が発生したりするという問題が生じる。また、前述した止水構造では、接着剤、シール材、封水材等を用いて各部材を組み付けるため壁パネルの設置作業が面倒になるという問題もある。
【０００５】
本発明は、前述した問題に対処するためになされたもので、その目的は、フロアの設置面への水漏れを確実に防止することができ、かつ設置が容易になる止水構造を提供することである。
【０００６】
前述した目的を達成するため、本発明に係る止水構造の構成上の特徴は、床面を構成するフロアの縁部に沿って形成された支持部と、支持部の上面に設置される壁パネルとの間に設けられる止水構造であって、支持部における室外側部分に、支持部と壁パネルの下端部との間から漏れてくる水を受けるための樋状の水受け部を支持部と壁パネルの下端部との接合部に沿って設けたことにある。
【０００７】
前述したように構成した本発明に係る止水構造では、壁パネルを支持する支持部の室外側部分に、支持部と壁パネルの下端部との間から漏れてくる水を受けるための水受け部を設けている。したがって、支持部と壁パネルの下端部との間から漏れた水は、水受け部内に溜まる。このため、フロアから漏れた水がフロアの下方の設置面に流れてしまうことを防止できる。また、この場合、水受け部は、フロアの周囲全体に設け、所定部分に設けられた排水口に連通させるようにすることが好ましい。これによると、水受け部に溜まった水は水受け部から排水口を介して外部の所定場所に向って流れるようになる。また、水受け部の両端部に堰を設けて、水受け部に溜まった水を蒸発させるようにしてもよい。
【０００８】
また、本発明に係る止水構造の他の構成上の特徴は、支持部と壁パネルの下端部との間にシール部を設置して、シール部で支持部と壁パネルの下端部との間をシールするようにしたことにある。これによると、シール部でフロアの支持部と壁パネルとの間のシール性を向上させることができる。
【０００９】
また、本発明に係る止水構造のさらに他の構成上の特徴は、水受け部とシール部の少なくとも一部とを一体的に形成したことにある。これによると、水受け部とシール部またはシール部の一部とが一体になるため、取り付けが容易になる。すなわち、水受け部を室外側に向けた状態でシール部を支持部に取り付け、その上に壁パネルを設置すると、水受け部は支持部の外側の設定位置に位置するようになる。このため、別途水受け部を取り付けるための作業を行う必要がなくなる。
【００１０】
また、本発明に係る止水構造のさらに他の構成上の特徴は、支持部に上方に延びる突条を設けるとともに、壁パネルの下面に突条と係合可能な溝部を設け、シール部を突条と溝部との間に沿って配置される本体部と、突条の表面または溝部の内面の少なくともいずれか一方に圧接する弾性ヒレ部を備えた弾性片とで構成したことにある。これによると、シール部の本体部が、突条と溝部との間の隙間に比べて小さく、本体部と突条の表面との間または本体部と溝部の内面との間に隙間が生じても、その隙間は弾性片によって塞がれるため、突条と溝部との間は確実にシールされる。
【００１１】
また、本発明に係る止水構造のさらに他の構成上の特徴は、水受け部を支持部の下方に位置するように設けたことにある。これによると、水受け部が支持部の外部側に突出することがなくなるか、または突出量が少なくなるため、フロアを設置するためのスペースの拡大を抑えることができる。
【発明を実施するための最良の形態】
【００１２】
（第１実施形態）
以下、本発明に係る止水構造の第１実施形態を図面を用いて説明する。図１は、同実施形態に係る止水構造２０を備えた浴室ユニット１０を示している。この浴室ユニット１０は、浴槽１１を備えており、浴槽１１は、浴槽フロア（図示せず）の上面に設置されている。そして、浴槽フロアの一方の縁部（浴室ユニット１０の中央側に位置する縁部）には、洗い場フロア２１ａが接続されている。この浴槽フロアと洗い場フロア２１ａとでフロア２１が構成され、フロア２１の周縁部に壁パネル１２ａ，１２ｂ，１２ｃ（図１における手前側の壁パネルは図示せず）が起立状態で設置されている。なお、フロア２１は、コンクリート等からなる設置面上に設置されている。
【００１３】
そして、壁パネル１２ａ等の上端には、天井パネル（図示せず）が掛け渡されて固定されている。浴室ユニット１０を構成する浴槽１１、フロア２１、天井パネル等は、それぞれ樹脂の成形体で構成されている。また、壁パネル１２ａには、浴室ユニット１０と脱衣室（図示せず）との間を開閉するためのドア１３が設けられている。そして、フロア２１の上面における壁パネル１２ｂに沿った部分にカウンター１４が設けられ、壁パネル１２ｂにおけるカウンター１４の上方に棚１５や鏡１６が設けられている。
【００１４】
また、カウンター１４の上面における浴槽１１側部分には、水栓１７が設けられている。そして、カウンター１４の前側面における壁パネル１２ａ側部分には、シャワー１８が設けられ、その先端把持部が壁パネル１２ａに設けられた支持部１８ａに着脱可能に保持されている。また、壁パネル１２ａには、手摺１９も設けられている。
【００１５】
フロア２１は、床面部２１ｂと、床面部２１ｂの周縁部から立ち上がった支持部２２とで構成されており、支持部２２の上部には壁パネル１２ａ等が並んだ状態で設置されている。そして、止水構造２０は、図２に示したように、支持部２２、壁パネル１２ａ等（以下、壁パネル１２ａとして説明する。）および止水部材２３で構成されている。支持部２２は、床面部２１ｂの周縁部から外部側（以下、室外側と記す。）に向かって斜め上方に延びる立上げ部２２ａと、立上げ部２２ａの上端から浴室ユニット１０の室外側に向かって水平方向に延びる壁パネル支持面部２２ｂと、壁パネル支持面部２２ｂの先端部に設けられ上下に延びる本発明の突条としての垂直縁部２２ｃとで構成されている。
【００１６】
また、壁パネル１２ａの下面の厚さ方向における室外側部分には、支持部２２の垂直縁部２２ｃにおける上部側部分と係合可能な、本発明の溝部としての被係合溝部２４が壁パネル１２ａの下面の長手方向に沿って設けられている。この垂直縁部２２ｃと被係合溝部２４との係合によって、壁パネル１２ａは、壁パネル支持面部２２ｂの上面に安定した状態で設置される。
【００１７】
止水部材２３は、シール部２５と、水受け部２６とで構成されている。シール部２５は、垂直縁部２２ｃの上部側部分を覆うように形成された本発明の本体部としてのシール本体２７と、シール本体２７に取り付けられた弾性片２８とで構成されており、シール本体２７の上部における室内側の面には係合凹部２７ａがシール本体２７の長手方向に沿って形成され、シール本体２７の下部における室内側の面には突部２７ｂがシール本体２７の長手方向に沿って形成されている。また、弾性片２８は、上部側部分がシール本体２７の上部における室内側の面に接面でき、下部側部分に突部２７ｂが食い込めるように、上部側部分に対して下部側部分が室内側に屈曲した段状でかつ略板状の部材で構成されている。
【００１８】
そして、弾性片２８の上部における室外側の面には、係合凹部２７ａと係合可能な係合凸部２８ａが形成され、弾性片２８の下端部には、壁パネル支持面部２２ｂと垂直縁部２２ｃの上部側部分との角部に沿って屈曲した屈曲部２８ｂが形成されている。また、弾性片２８の上端部には、室外側の斜め上方に延びる弾性ヒレ部２９ａが形成され、弾性片２８の上部側部分には、室内側の斜め下方に延びる弾性ヒレ部２９ｂが形成されている。
【００１９】
さらに、弾性片２８の下端部には、室内側の斜め下方に延びる弾性ヒレ部２９ｃが形成され、屈曲部２８ｂの上端部には、室外側の斜め上方に延びる弾性ヒレ部２９ｄが形成されている。弾性ヒレ部２９ａ，２９ｂは、支持部２２上に壁パネル１２ａが取り付けられていないときには、図２に二点鎖線で示した状態になり、支持部２２上に壁パネル１２ａを取り付けると、押え付けられて図２に実線で示した状態になる。この弾性ヒレ部２９ａ等によって、垂直縁部２２ｃと被係合溝部２４との間は閉塞される。
【００２０】
また、シール部２５のシール本体２７における室外側下端部からは連結片２７ｃが下方に向って延長され、連結片２７ｃの下端部に水受け部２６が連結されている。この水受け部２６は、断面形状がコ字状の樋状に形成されており、硬質の樹脂によりシール本体２７と一体的に形成されている。そして、水受け部２６の一方の端面には凹部２６ａが形成され、他方の端面には凹部２６ａと係合可能な突部（図示せず）が形成されている。このため、凹部２６ａと突部を係合することにより、並設する複数の水受け部２６をシール本体２７とともに連結することができる。また、弾性片２８も樹脂で構成されており、弾性ヒレ部２９ａ等は軟質の樹脂からなり弾性片２８のそれ以外の部分は、シール本体２７等と同じ硬質の樹脂からなっている。
【００２１】
また、この止水構造２０は、フロア２１の周縁部に沿って設けられており、止水部材２３におけるフロア２１の角部に対応する部分は、図３に示した接続部材３１で接続されている。接続部材３１は止水部材２３と同様、シール本体３７と弾性片３８とからなるシール部３５と、水受け部３６とで構成されている。そして、接続部材３１は、両端面が直交する角度になるように屈曲した形状に形成されている。
【００２２】
また、接続部材３１の両端面は止水部材２３の両端面と同じ形状に形成されており、水受け部３６の一方の端面には水受け部２６の突部と係合可能な凹部３６ａが形成され、他方の端面には凹部２６ａと係合可能な突部（図示せず）が形成されている。このため、凹部３６ａをフロア２１の角部を挟んだ一方の止水部材２３の突部に係合させることにより、接続部材３１を一方の止水部材２３に接続することができ、突部をフロア２１の角部を挟んだ他方の止水部材２３の凹部２６ａに係合させることにより接続部材３１を他方の止水部材２３に接続することができる。
【００２３】
このようにして、複数の止水部材２３と４個の接続部材３１とを組み付けて、支持部２２と壁パネル１２ａとの間に設置することにより、フロア２１の周縁部に沿って止水構造２０を形成することができる。また、水受け部２６，３６はドア１３の下部に位置する部分が最も低くなるように水勾配を有している。すなわち、ドア１３の下部には、排水口（図示せず）が設けられており、水受け部２６，３６に流れた水は、排水口を介して外部に排出されるようになっている。
【００２４】
なお、止水部材２３および接続部材３１の支持部２２への取り付けは、現場での施工の際に行ってもよいし、予め工場で止水部材２３および接続部材３１を支持部２２に取り付けた状態で浴槽フロアと洗い場フロア２１ａを施工現場に搬送してもよい。予め工場で取り付ける場合には、浴槽フロアと洗い場フロア２１ａとにそれぞれ止水部材２３と接続部材３１とを取り付けておき、施工現場では、浴槽フロアと洗い場フロア２１ａとを組み付ける際に、止水部材２３の端面同士を組み付ける作業を行う。この場合、必要に応じて接続用の部材等を用いる。
【００２５】
本実施形態に係る止水構造２０は、以上のように構成されているため、浴室ユニット１０内で入浴者が水栓１７やシャワー１８の湯水を使ったり、浴槽１１内の湯を使ったりしても、その湯水がフロア２１と壁パネル１２ａとの間からフロア２１の設置面に漏れることを防止できる。すなわち、浴室ユニット１０内で使用した湯水が飛散したりして、支持部２２と壁パネル１２ａとの接合部に達しても、その湯水はシール部２５によって、垂直縁部２２ｃと被係合溝部２４との隙間に浸入することを防止される。
【００２６】
また、シール部２５が破損したり、長期間の使用により朽ちたりして、湯水がシール部２５を越えて垂直縁部２２ｃの室外側に漏れた場合でも、その下方に水受け部２６が設けられているため、漏れた湯水は、水受け部２６の溝部に沿って、ドア１３側に流れ排出口から外部に排出される。この結果、湯水が、フロア２１の設置面に流れ出てしまうようなことは生じなくなる。
【００２７】
また、止水構造２０では、シール部２５のシール本体２７と水受け部２６とを連結片２７ｃを介して一体的に形成しているため、止水部材２３の取り付けが容易になる。また、シール部２５には、弾性ヒレ部２９ａ等が設けられているため、シール本体２７が小さくて、シール本体２７と垂直縁部２２ｃとの間またはシール本体２７と被係合溝部２４の内面との間に隙間が生じても、その隙間は弾性ヒレ部２９ａ等によって塞がれるため、垂直縁部２２ｃと被係合溝部２４との間は確実にシールされる。また、同様にフロア２１の角部は、接続部材３１によってシールされる。
【００２８】
（第２実施形態）
図４は、本発明の第２実施形態に係る止水構造４０を示している。この止水構造４０では、止水部材４３を構成するシール本体４７と水受け部４６とがアルミニウムの押出し材で構成されており、連結片４７ｃが長くかつ屈曲して形成されて、水受け部４６がシール部４５の略下方に位置するように形成されている。この止水構造４０のそれ以外の部分の構成については、前述した止水構造２０と同一である。したがって、同一部分に同一符号を記して説明は省略する。
【００２９】
このように構成したため、この止水構造４０では、水受け部４６が壁パネル１２ａよりも室外側に突出しなくなり、水受け部４６を設けることによる設置スペースの拡大を抑えることができる。また、この止水構造４０によっても、湯水がフロア２１と壁パネル１２ａとの間から室外側に漏れた場合には、その湯水は、連結片４７ｃに伝わって水受け部４６の溝部内に流れて行くため、漏れた湯水がフロアの設置面側に流れることはない。この止水構造４０におけるそれ以外の作用効果については、前述した第１実施形態の止水構造２０と同様である。
【００３０】
また、本発明に係る止水構造は、前述した各実施形態に限定するものでなく、適宜変更して実施することが可能である。例えば、前述した止水構造２０，４０では、水受け部２６，３６，４６の一方の端面に凹部２６ａ，３６ａを形成し、他方の端面には突部を形成しているが、この水受け部は中空の管状に形成することもできる。この場合、接続される水受け部の接続部分には双方の水受け部の穴部に圧入できる接続部材を取り付けて隣接する両水受け部の接続を行う。
【００３１】
また、前述した各実施形態では、水受け部２６等に流れた水を、排水口から外部に排出するようにしているが、各水受け部２６等の両端に堰を設けて、溜まった水を各水受け部２６等の内部で蒸発させるようにしてもよい。さらに、前述した実施形態では、シール部２５等をシール本体２７等と弾性片２８とで構成しているが、シール本体と弾性片とは一体的に形成してもよい。
【００３２】
また、前述した各実施形態では、止水構造２０，４０を浴室ユニット１０に設けているが、この発明に係る止水構造は、浴室ユニットだけでなく、トイレユニットや洗面室ユニット等、各種衛生設備室に用いられる止水機能が要求されるフロアと壁パネルを備えたものであれば利用が可能である。また、前述した部分以外の部分の構成についても、前述した各実施形態に限定することなく、本発明の技術的範囲内で適宜変更して実施することができる。
【図面の簡単な説明】
【００３３】
【図１】本発明に係る止水構造を備えた浴室ユニットを示した斜視図である。
【図２】第１実施形態に係る止水構造を示した側面図である。
【図３】接続部材を示した斜視図である。
【図４】第２実施形態に係る止水構造を示した側面図である。
【符号の説明】
【００３４】
１０…浴室ユニット、１２ａ，１２ｂ，１２ｃ…壁パネル、２０，４０…止水構造、２１…フロア、２１ａ…洗い場フロア、２２…支持部、２２ｂ…壁パネル支持面部、２２ｃ…垂直縁部、２３，４３…止水部材、２４…被係合溝部、２５，３５，４５…シール部、２６，３６，４６…水受け部、２７，３７，４７…シール本体、２７ｃ，４７ｃ…連結片、２８，３８…弾性片、２９ａ，２９ｂ，２９ｃ，２９ｄ…弾性ヒレ部。
【図１】
2006152568.tif 000003
【図２】
2006152568.tif 000004
【図３】
2006152568.tif 000005
【図４】
2006152568.tif 000006